(57)【特許請求の範囲】
【請求項１】
コインをバラ積み状態で保留する筒型のホッパーヘッドと、
前記ホッパーヘッドの底孔に配置されると共に上面から下面へ向かって前記コインが通過可能な通孔および前記コインの押動部を有すると共に所定の角度で傾斜し、直径は前記通孔の大凡二倍未満であり、且つ、回転軸に固定された回転ディスクと、
前記回転ディスクの下側に平行に配置され、前記押動部によって押動される前記コインがスライドするスライドベースと、を備え、
前記通孔は前記回転ディスクの偏心位置に形成され、前記回転ディスクは前記回転軸の上端において中心軸から偏心した位置で固定部材により固定されたコインホッパにおいて、
前記回転軸の上端に形成された嵌合突部と前記回転ディスクの裏面側に形成された嵌合凹部とを嵌合させた状態で前記回転ディスクおよび前記回転軸が前記固定部材により固定され、
前記回転軸は前記上端において前記中心軸を挟んで配置される平面視略半円形の第１端面および第２端面を有し、前記第１端面は前記スライドベースに対してほぼ面一となるよう位置し、前記第２端面は前記第１端面に対して突出し、前記嵌合突部は前記第２端面に位置することにより前記中心軸に対して非対称かつ偏心して配置され、
前記回転ディスクは当該回転ディスクの下面に対して下方に突出する中央部を有し、前記嵌合凹部は前記中央部の周縁側から前記中心軸に向けて延在する、
ことを特徴とするコインホッパ。
【発明の詳細な説明】
【技術分野】
【０００１】
本発明は、コインを回転ディスクの通孔に落下させて１つずつ区分けして払い出すコインホッパに関し、詳しくは、回転ディスク直径がコインの直径の大凡二倍程度の小型のコインホッパに関する。さらに言えば、回転ディスクと回転軸との取り付け部位において充分な機械的強度を有するコインホッパに関する。
なお、本明細書で使用する「コイン」は、通貨であるコインの他、ゲーム機のメダルやトークン等の代用貨幣または類似のものを包含する。
また、「小型のコインホッパ」とは、回転ディスクの直径が通孔の大凡２倍であり、かつ通孔が１つのみ設けられたコインホッパをいう。
【背景技術】
【０００２】
小型のコインホッパは、自動販売機のリサイクル式コイン受入払出装置（例えば、特開２００３−１９６６９５公報参照）やスーパーのレジにおけるコインの釣銭払出機（例えば、特開平７−３０６９６５公報参照）に採用される。
【０００３】
これらに採用される小型のコインホッパは、設置空間との関係で大きさの制約を受け、コインの直径が大きい場合、回転ディスクの直径は通孔の大凡２倍程度になり、かつ通孔が１つのみ設けられる。
【０００４】
小型のコインホッパの従来技術の一例として、本出願人の出願に係る特許文献１（特許第５５４０１９０号公報）がある。特許文献１のコインホッパは、コインをバラ積み状態で保留する筒型のホッパーヘッド、前記ホッパーヘッドの底孔に配置されると共に上面から下面へ向かって前記コインが通過可能な通孔および前記コインの押動部を有すると共に所定の角度で傾斜し、直径は前記通孔の大凡二倍未満である回転ディスク、前記回転ディスクの下側に平行に配置され、前記押動部によって押動される前記コインがスライドするスライドベースを有するコインホッパにおいて、前記回転ディスクは段差を有する上段部と下段部の少なくとも二段構成であり、前記段差は斜面に形成された少なくとも二段構成であり、前記通孔は、前記下段部における前記回転ディスクの偏心位置に形成され、前記段差は平面視において前記回転ディスクの半径よりも小さな半径であって、前記回転ディスク上を中心とする円弧状をなすことにより前記上段部は平面視において三日月形を呈し、前記円弧の一端は前記通孔に接し、前記円弧の中間は前記回転ディスクの軸心よりも周縁側に配置されることを特徴としている。
【先行技術文献】
【特許文献】
【０００５】
【特許文献１】特許第５５４０１９０号（図１〜図４、段落番号００１０、００１１、００１７〜００２９）
【発明の概要】
【発明が解決しようとする課題】
【０００６】
一般に、コインホッパでは、回転ディスクは駆動軸たる回転軸に固定部材たるネジを用いて固定される。その場合、回転ディスクの中心軸線に同軸に形成されたネジ挿入孔にネジを挿入した状態で回転軸のネジ孔にネジ止めすることによって固定されるため、回転ディスクの回転軸線と固定部材の軸線とが同軸となる。これに対し、特許文献１のコインホッパでは、回転ディスクの通孔が回転ディスクの回転軸線近傍に及ぶため、固定部材を回転ディスクの回転軸線と同軸で配置することができず、固定部材を回転ディスクに対して偏心した位置に配置する必要がある。その場合、回転ディスクの回転に伴って固定部材にせん断応力が作用し、固定部材が疲労により破断する虞がある。通常、コインホッパではコインジャムを解消するために回転ディスクは正転と逆転を繰り返すため、その繰り返しに伴って固定部材の破断の可能性はより高くなる。対策として固定部材の材料を機械強度の高い材料とすれば破断の可能性を低くすることができるが、固定部材はネジであるため加工性やコストを考慮すると俄かに採用することはできない。
【０００７】
本発明は、上記状況を鑑みなされたものであり、その目的とするところは、回転ディスクの回転軸線と固定部材の軸線とが同軸でない場合であっても、固定部材の破断を効果的に防止できるコインホッパを提供することにある。
本発明の他の目的は、回転ディスクの回転軸線と固定部材の軸線とが同軸でない場合であっても、コストの増加を抑制しつつ、回転ディスクの回転軸への固定強度を高めることができるコインホッパを提供することにある。
ここに明記しない本発明の他の目的は、以下の説明および添付図面から明らかである。
【課題を解決するための手段】
【０００８】
この目的を達成するため、本発明に係るコインホッパは以下のように構成されている。
【０００９】
すなわち、本発明のコインホッパは、コインをバラ積み状態で保留する筒型のホッパーヘッドと、前記ホッパーヘッドの底孔に配置されると共に上面から下面へ向かって前記コインが通過可能な通孔および前記コインの押動部を有すると共に所定の角度で傾斜し、直径は前記通孔の大凡二倍未満であり、且つ、回転軸に固定された回転ディスクと、前記回転ディスクの下側に平行に配置され、前記押動部によって押動される前記コインがスライドするスライドベースと、を備え、前記通孔は前記回転ディスクの偏心位置に形成され、前記回転ディスクは前記回転軸の上端において中心軸から偏心した位置で固定部材により固定されたコインホッパにおいて、前記回転軸の上端に形成された嵌合突部と前記回転ディスクの裏面側に形成された嵌合凹部とを嵌合させた状態で前記回転ディスクおよび前記回転軸が前記固定部材により固定され、前記回転軸は前記上端において前記中心軸を挟んで配置される平面視略半円形の第１端面および第２端面を有し、前記第１端面は前記スライドベースに対してほぼ面一となるよう位置し、前記第２端面は前記第１端面に対して突出し、前記嵌合突部は前記第２端面に位置することにより前記中心軸に対して非対称かつ偏心して配置され、前記回転ディスクは当該回転ディスクの下面に対して下方に突出する中央部を有し、前記嵌合凹部は前記中央部の周縁側から前記中心軸に向けて延在する、ことを特徴とする。
【００１０】
本発明のコインホッパでは、コインをバラ積み状態で保留する筒型のホッパーヘッドと、ホッパーヘッドの底孔に配置されると共に上面から下面へ向かってコインが通過可能な通孔およびコインの押動部を有する回転ディスクと、回転ディスクの下側に平行に配置され、押動部によって押動されるコインがスライドするスライドベースと、を備えている。回転ディスクは、所定の角度で傾斜し、直径は通孔の大凡二倍未満であり、且つ、回転軸に固定されている。通孔は回転ディスクの偏心位置に形成され、回転ディスクは回転軸の端面において中心軸から偏心した位置で固定部材により固定される。そして、回転軸の端面に形成された嵌合突部と回転ディスクの裏面側に形成された嵌合凹部とを嵌合させた状態で回転ディスクおよび回転軸が固定部材により固定される。回転ディスクが回転した場合、回転ディスクと回転軸との間に働く回転方向の作用力は嵌合突部と嵌合凹部との嵌合により受け止められる。そのため、固定部材に働く回転方向の作用力は大幅に低減する。したがって、固定部材の破断を効果的に防止できる。しかも、嵌合突部および嵌合凹部は、回転ディスクおよび回転軸の製作時に形成することができるので他の部材を必要とせず、コストの増加を可及的に抑制できる。すなわち、回転ディスクの回転軸線と固定部材の軸線とが同軸でない場合であっても、固定部材の破断を防止でき、コストの増加を抑制しつつ、回転ディスクの回転軸への固定強度を高めることができる。
【発明の効果】
【００１１】
本発明のコインホッパでは、回転ディスクの回転軸線と固定部材の軸線とが同軸でない場合であっても、（ａ）固定部材の破断を防止でき、（ｂ）コストの増加を抑制しつつ、回転ディスクの回転軸への固定強度を高めることができる、という効果が得られる。
【図面の簡単な説明】
【００１２】
【図１】本発明の一実施例のコインホッパを示す斜視図である。
【図２】図１のコインホッパのホッパーヘッドを取り除いた状態の平面図である。
【図３】図１のコインホッパのホッパーヘッドを取り除いた状態の要部分解斜視図である。
【図４】図１のコインホッパのホッパーヘッドおよび回転ディスクを取り除いた状態の斜視図である。
【図５】図１のコインホッパの回転ディスクを示す、表面側から見た斜視図である。
【図６】図１のコインホッパの回転ディスクを示す、裏面側から見た斜視図である。
【図７】図１のコインホッパの回転ディスクと回転軸の嵌合状態を示す、（Ａ）は正面図、（Ｂ）は右側面図である。
【発明を実施するための形態】
【００１３】
以下、本発明の実施の形態を添付図面に基づいて説明する。
【実施例】
【００１４】
本発明に係るコインホッパ１００は、バラ積みで保留されたコインＣを一つずつ区分けして払い出す機能を有する。図１および２に示すように、コインホッパ１００は、大凡フレーム部１０２、ベース部１０４、回転ディスク１０６、弾き出し部１０８およびホッパーヘッド１１２を含んでいる。
【００１５】
まず、図１および図２を参照しながら、フレーム部１０２について説明する。フレーム部１０２は、ベース部１０４、回転ディスク１０６、弾き出し部１０８およびホッパーヘッド１１２を支持する機能を有する。フレーム部１０２は樹脂にて射出成型され、側面視おおよそ直角三角形の箱型であり、頂部は約３０度傾斜し、平面視おおよそ正方形を呈している。フレーム部１０２の内部には、回転ディスク１０６を回転駆動するための電気モータ等が内蔵される。
【００１６】
次に、図２を参照しながら、ベース部１０４について説明する。ベース部１０４は、コインＣのスライドベース１１４、コインＣの弾き出し部１０８およびホッパーヘッド１１２を保持する機能を有する。ベース部１０４は、フレーム部１０２の頂部に着脱可能取り付けられた矩形厚板状をし、樹脂により射出成型されている。ベース部１０４の上面中央にはベース部１０４の全幅に近い直径を有するおおよそ円形有底のガイド穴１１６が形成されている。ガイド穴１１６の周壁１１７のベース部１０４の傾斜の上側の一部が開口され、コインＣの出口開口１１８が形成されている。ガイド穴１１６の出口開口１１８部分は、ベース部１０４の上側端縁１１９に連続する台形部１２０に形成されている。台形部１２０の斜面１２１は、図２においてベース部１０４の左上角部１２２に対し傾斜している。ガイド穴１１６および台形部１２０には耐摩耗性を向上のため、それらと相似形に形成した金属製のスライドベース１１４が嵌込まれ、当該スライドベース１１４の上面は、ベース部１０４の出口上面１２３と面一に構成されている。
【００１７】
次に、図２、図５および図６を参照しながら、回転ディスク１０６について説明する。回転ディスク１０６は、ホッパーヘッド１１２内にバラ積みされたコインＣを一つずつ区分けして払い出す機能を有する。すなわち、回転ディスク１０６は後述するホッパーヘッド１１２の底孔１３４にスライドベース１１４の上面に近接して平行に配置され、コインＣの払出信号に基づいてフレーム部１０２に内蔵された電気モータ（図示せず）と駆動転結された回転軸３００に固定されている。回転ディスク１０６は、電気モータの回転によって、図２において反時計方向に回転される。この反時計方向の回転を正回転という。また、コインジャムを生じて電気モータが正回転モードであるにも拘わらず回転ディスク１０６が回転しない場合、又は指示された数のコインＣが払い出されていないにも拘わらず所定時間コインＣが払い出されない場合、換言すれば、指示された数のコインＣが払い出されず、かつ、所定時間コインＣの払出が無い場合、電気モータの回転が停止された後、逆転（図２において時計方向）され、再び正転することを所定回繰り返す。
【００１８】
回転ディスク１０６は薄板円盤型であって、下段部１２６と上段部１２８とが形成されている。換言すれば、図５に示すように下段部１２６の厚みは、上段部１２８の厚みよりも薄く形成されている。下段部１２６と上段部１２８とは、回転ディスク１０６の下面１３０に対し平行に形成されている。回転ディスク１０６のコインＣによる回転抵抗を小さくするためである。
【００１９】
図２に示すように、下段部１２６は平面視楕円（ラグビーボール）形に形成され、回転ディスク１０６の偏心位置であって、かつ、その外周縁の一部が当該回転ディスク１０６の周縁に隣接した位置に当該回転ディスク１０６の上面から下面へ貫通する一つの円形の通孔１３２が形成されている。通孔１３２の直径は、使用されるコインＣの直径よりも僅かに大きな直径を有し、回転ディスク１０６の半径よりも僅かに小さい。また、通孔１３２の周面１３３は上向きに拡開するすり鉢形に形成されている。コインＣが通孔１３２に落下し易くするためである。
【００２０】
上段部１２８は、回転ディスク１０６の偏心位置において三日月形に形成され、円弧状の周縁は上段部１２８の延長線に対する角度が約２０度の傾斜面（図示せず）に形成されている。換言すれば、上段部１２８の上部外周面１４０は部分的に錐形に形成されている。このように、錐形の上部外周面１４０にすることにより、コインＣがホッパーヘッド１１２の内周面によりかかって立ちにくくするためである。内向き円弧縁１３８は、回転ディスク１０６の第１半径Ｒ１よりも小さな第２半径Ｒ２であって、通孔１３２に隣接した回転ディスク１０６上を中心ＣＥ２とする円弧である。換言すれば、回転ディスク１０６の第１半径Ｒ１よりも僅かに小さい第３半径Ｒ３によって上段部１２８の基になる円形上段部を形成し、当該円形上段部の一部を楕円形に削除することにより、又は三日月形の上段部１２８を付設することにより下段部１２６を構成する。なお、回転ディスク１０６は例えば焼結品とし、下段部１２６および上段部１２８を一体成形することができる。
【００２１】
図２に示すように、三日月形の内向き円弧縁１３８の一端部である右側の第１端部１４２は回転ディスク１０６の周縁近傍において通孔１３２に接し、中間部１４４は回転ディスク１０６の軸線ＣＥ１よりも周縁側に位置し、左側の第２端部１４６先端と第１端部１４２とを結ぶ直線Ｌは、回転ディスク１０６の軸線ＣＥ１よりも反上段部１２８側に位置している。換言すれば、回転ディスク１０６の正転方向に対し後位側に位置する第１端部１４２は回転ディスク１０６の周縁部において通孔１３２に接している。これにより、下段部１２６に面接触して載っているコインＣは通孔１３２に対し傾斜の上側に位置した場合、自重によって当該下段部１２６の上面を滑り落ちて通孔１３２に落下することができる。また、下段部１２６に面接触し、かつ円弧縁１３８に係止されたコインＣは、回転ディスク１０６の傾斜において、円弧縁１３８が軸線ＣＥ１を通る水平線よりも上方に位置した場合、円弧縁１３８の傾斜および重力によって通孔１３２側へ転動する。通孔１３２側へ転動したコインＣは円弧縁１３８が通孔１３２と接している第１端部１４２において、通孔１３２に相対して落下する。円弧縁１３８は斜面であり、下段部１２６と上段部１２８との段差を接続している。
【００２２】
上段部１２８の上面中央には円柱状の突起１４８が形成されている。上面中央とは、三日月形の上段部１２８の最大幅部における幅方向および長手方向の中間をいう。突起１４８は、直径約３ミリの円柱状であり、かつ、高さはコインＣの厚みよりも低く、さらに上端縁は面取りしてある。突起１４８は、金属で製作し、上段部１２８に穿孔した縦向き穴に下端部を圧入して構成することができるが、回転ディスク１０６と一体成形することも出来る。コインＣが突起１４８に係止されて回転ディスク１０６と共に回転した場合、コインＣが傾斜の凡そ上側に位置した場合、コインＣは回転ディスク１０６の上面をすべり落ちて通孔１３２に落下する。
【００２３】
回転ディスク１０６の裏面側には、通孔１３２に隣接し、かつ回転ディスク１０６の中心部から周縁に伸び、かつ正転方向に向かって凸形状のインボリュート曲線を描くように押出部１５２が形成されている。これにより、回転ディスク１０６が正回転する場合、通孔１３２に落下したコインＣは、押出部１５２によって押されつつ周縁をガイド穴１１６の周壁１１７に、下面をスライドベース１１４に案内されつつ図２において反時計方向に回動される。そして、出口開口１１８の近傍において、スライドベース１１４上に突出する規制ピン１５４（図４参照）によって出口開口１１８側に案内され、後述する弾き出し部１０８によって弾き出される。
【００２４】
図５および図６に示すように、回転ディスク１０６の裏面側の通孔１３２の正回転方向の前位側には、通孔１３２に沿って下向きに突出する戻し突起１５６が形成されている。これにより、回転ディスク１０６が逆転した場合、コインＣは戻し突起１５６によって図２において時計方向に押され、周縁をガイド穴１１６の周壁１１７に、下面がスライドベース１１４に案内されつつ図２において時計方向に回動される。出口開口１１８の近傍において、コインＣは規制ピン１５４に当接するが、公知のように規制ピン１５４はスライドベース１１４内に弾性的に後退するので、コインＣは出口開口１１８側に案内されることなく回転ディスク１０６と共に回動される。
【００２５】
次に、図２を参照しながら、弾き出し部１０８について説明する。弾き出し部１０８は、コインＣを１つずつ区分けして払い出す機能を有する。本実施例において、弾き出し部１０８は固定ローラ１６２と移動ローラ１７２とを含んでいる。
【００２６】
固定ローラ１６２は、ベース部１０４の傾斜上側において、ガイド穴１１６に隣接して配置され、ベース部１０４に形成された長孔１６６を貫通する支軸１６８の上端部に回転自在に取り付けられている。支軸１６８は、ベース部１０４の裏面側に配置され、回転ディスク１０６の下側において固定軸（図示せず）に回動自在に支持され、かつスプリング（図示せず）により図２において時計方向に付勢されたレバー（図示せず）に固定されている。このスプリング力は後述の弾き出し用のスプリング１９４に対しバネ定数が極めて大きく、通常のコインＣの払出し時、固定ローラ１６２は移動されない。しかし、極めて大きな力が作用した場合、長孔１６６の範囲において移動することができる。
【００２７】
移動ローラ１７２は、回転ディスク１０６によって固定ローラ１６２との間に押し込まれたコインＣを弾き出す機能を有する。移動ローラ１７２は、第２支軸１７４に回動自在に支持された揺動レバ１７６の先端から下向きに突出する軸１７８に回転自在に支持されている。第２支軸１７４は、ベース部１０４の固定ローラ１６２と反対側の角部においてガイド穴１１６に隣接配置された弧状の位置調整ブラケット１８２の端部から上方に向けて突出している。
【００２８】
位置調整ブラケット１８２は、回転ディスク１０６の軸心を中心とする所定半径で形成された弧状長孔１８４を貫通してベース部１０４にねじ込まれる一対のネジ１８６ａ、１８６ｂによってベース部１０４の上面に固定される。この構成により、使用されるコインＣの直径に対し固定ローラ１６２との関係で移動ローラ１７２が最適位置になるよう弧状長孔１８４の範囲で位置調整される。位置調整ブラケット１８２の端部から上向きにバネ受け１８８が突出され、揺動レバ１７６の他端１９２は当該バネ受け１８８の下端部に当接され、待機状態での移動ローラ１７２の待機位置（図２の位置）を規制する。
【００２９】
弦巻スプリング１９４の中間が第２支軸１７４の外周に巻き付けられ、その一端は揺動レバ１７６に、他端はバネ受け１８８に係止され、揺動レバ１７６に図２において反時計方向の回動力を付与する。移動ローラ１７２が待機位置に位置する場合、固定ローラ１６２との間隔は使用されるコインＣの直径よりも小さい間隔で保持される。規制ピン１５４に案内されたコインＣが回転ディスク１０６の押出部１５２によって固定ローラ１６２と移動ローラ１７２との間に押し込まれた場合、揺動レバ１７６は図２において時計方向に回動され、コインＣの中心を通る直線が固定ローラ１６２と移動ローラ１７２との接点を通過した直後に、弦巻スプリング１９４の弾発力に基づいて移動ローラ１７２によって後述のセンサ２１２に向かって弾き出される。
【００３０】
次に、図１を参照しながら、ホッパーヘッド１１２について説明する。ホッパーヘッド１１２は、コインＣをバラ積み状態で回転ディスク１０６の上方に所定量保留する機能を有する。ホッパーヘッド１１２は全体として縦向きの筒形であって、下端部１９６は円形に、上端部１９８は矩形に形成され、中間部２０２は上端部１９８と下端部１９６を滑らかに接続するよう斜面に形成され、下端部１９６は、ベース部１０４に着脱可能に固定される。
【００３１】
次に、図１および図２を参照しながら、センサ２１２について説明する。センサ２１２は、弾き出し部１０８によって弾き出されたコインＣを検知する機能を有する。センサ２１２は、例えば磁気センサ２１４である。塵埃等の影響を受けずにコインＣを検知できるからである。磁気センサ２１４は横向きの門形を呈し、その上支持部２１８と下支持部（図示せず）の間のコイン通過部（図示せず）を弾き出されたコインＣが通過するよう、フレーム部１０２の側面に固定された金属製ブラケット２２６に固定されている。
【００３２】
次に、図３〜図７を参照しながら、回転ディスク１０６の回転軸３００への接続構造について説明する。まず、回転軸３００について説明する。回転軸３００は、回転ディスク１０６を回転可能に支持する機能を有する。回転軸３００は、電気モータ（図示せず）の駆動軸に対して減速ギヤ（図示せず）を介して駆動連結され、電気モータにより回転される。回転軸３００は磨耗性の低い（換言すれば、硬度の高い）金属製である。回転軸３００は、大径部３１２と小径部３１４を有する断面円形の棒状体であって、その上端に第１端面３０１と第２端面３０２を有している。第１端面３０１および第２端面３０２は平面視半円状であって、第１端面３０１は第２端面３０２に対して下方に位置している。換言すれば、第１端面３０１と第２端面３０２との間には段差が形成されている。第１端面３０１はスライドベース１１４に対してほぼ面一となるよう位置し、第２端面３０２はスライドベース１１４から上方に向けて突出している。回転ディスク１０６を第２端面３０２に固定した場合に、回転ディスク１０６の裏面側とスライドベース１１４との間に所定の隙間が形成されるようにするためである。第２端面３０２には、平面視略矩形の突部３０４が回転軸３００と一体で形成されている。換言すれば、突部３０４は、幅Ｗ、長さＬ１、高さＨの略直方体の外形状を有している。突部３０４は、回転軸３００の回転軸線ＲＡに対して偏心して配置されている。第２端面３０２において突部３０４の両側方には、二つのネジ孔３０６が形成されている。これら二つのネジ孔３０６もまた回転軸線ＲＡに対して偏心して配置されている。
【００３３】
他方、回転ディスク１０６の下面１３０に対して下方に突出する中央部３２４には、回転軸３００の突部３０４に嵌合可能な凹部３２２が形成されている。凹部３２２は、幅Ｗの凹溝３２３であり、中央部３２４の周縁３２５側から回転軸線ＲＡに向けて延在している。凹溝３２３の両側方には、回転軸線ＲＡに対して偏心した位置に二つのネジ挿入孔（ザグリ穴）３２６が形成されている。
【００３４】
二つのネジ３３０は、回転ディスク１０６のネジ挿入孔３２６を介して回転軸３００のネジ孔３０６にネジ込まれている。これら二つのネジ３３０は、回転軸線ＲＡに対して偏心した位置に配置され、回転ディスク１０６と回転軸３００とを固定する固定部材３３２として機能する。
【００３５】
回転ディスク１０６の回転軸３００への固定は、次のように行われる。まず、回転軸３００の突部３０４を回転ディスク１０６の裏面側に形成された凹溝３２３に嵌め合わせつつ、回転ディスク１０６のネジ挿入孔３２６と回転軸３００のネジ孔３０６とが同軸になるよう位置合わせする。その状態で二つのネジ３３０を回転ディスク１０６のネジ挿入孔３２６に挿入し、回転軸３００の第２端面３０２と回転ディスク１０６の中央部３２４の裏面とが密着するまでネジ３３０を回転させて回転軸３００にネジ止めする。こうして、回転軸３００の第２端面３０２に形成された突部３０４と回転ディスク１０６の裏面側に形成された凹溝３２３とを嵌合させた状態で回転ディスク１０６および回転軸３００がネジ３３０により固定される。
【００３６】
この状態で回転軸３００の回転により回転ディスク１０６が回転された場合、回転ディスク１０６と回転軸３００との間に働く回転方向の作用力は突部３０４の側面と凹溝３２３の側面との嵌合により受け止められる。そのため、ネジ３３０に働く回転方向の作用力は大幅に低減する。したがって、ネジ３３０の破断を効果的に防止できる。しかも、突部３０４および凹溝３２３は、回転ディスク１０６および回転軸３００の製作時に形成することができるので他の部材を必要とせず、コストの増加を可及的に抑制できる。
【００３７】
なお、本実施例では、回転軸３００の突部３０４を略直方体の外形状とし、回転ディスク１０６の凹部３２２を凹溝３２３としているが、本発明は、これに限定されるものではなく、突部３０４の外形状と凹部３２２の内形状は種々の変更が可能である。例えば、突部３０４を円柱状とし、凹部３２２を平面視円形とすることも可能である。しかし、回転方向の作用力を受け止める面積を可及的に大きくするという観点から、本実施例のように、突部３０４を略直方体の外形状とし、回転ディスク１０６の凹部３２２を凹溝３２３とすることが有効である。
【符号の説明】
【００３８】
１００  コインホッパ
１０２  フレーム部
１０４  ベース部
１０６  回転ディスク
１０８  弾き出し部
１１２  ホッパーヘッド
１１４  スライドベース
１１６  ガイド穴
１１７  周壁
１１８  出口開口
１２６  下段部
１２８  上段部
１３２  通孔
１３４  底孔
１３８  円弧縁
１４０  上部外周面
１４２  第１端部
１４４  中間部
１４６  第２端部
１４８  突起
１５２  押出部
１５４  規制ピン
１５６  戻し突起
１６２  固定ローラ
１７２  移動ローラ
１７６  揺動レバ
２１２  センサ
２１４  磁気センサ
３００  回転軸
３０１  第１端面
３０２  第２端面
３０４  突部
３０６  ネジ孔
３１２  大径部
３１４  小径部
３２２  凹部
３２３  凹溝
３２４  中央部
３２６  ネジ挿入孔
３３０  ネジ
３３２  固定部材
Ｃ  コイン
ＲＡ  回転軸線
【図１】
0006452047.tif 000002
【図２】
0006452047.tif 000003
【図３】
0006452047.tif 000004
【図４】
0006452047.tif 000005
【図５】
0006452047.tif 000006
【図６】
0006452047.tif 000007
【図７】
0006452047.tif 000008